(57)【要約】【課題】スーパーレンズ構造の記録媒体に記録されている情報を正確に再生し得る再生装置を提供する。【解決手段】スーパーレンズ構造の記録媒体を少なくとも含む記録媒体９ａ，９ｂに記録されている情報Ｄ１を再生可能に構成された再生装置１１であって、レーザー光を記録媒体９ａ，９ｂに照射したときに記録媒体９ａ，９ｂによって反射されたレーザー光を受光して電気信号Ｓ１に光電変換する光ヘッド２と、電気信号Ｓ１に含まれている交流成分を抽出すると共に所定減衰量で減衰させる信号処理を行う信号処理回路４と、信号処理回路４から出力された電気信号Ｓ２の振幅が所定の振幅となるように制御する振幅制御回路５と、振幅制御回路５から出力された電気信号Ｓ３に基づいて記録媒体９ａ，９ｂに記録されている情報Ｄ１を再生する再生回路６とを備えている。【選択図】図１
2005302095.tif 000002
【特許請求の範囲】
【請求項１】
スーパーレンズ構造の記録媒体を少なくとも含む情報記録媒体に記録されている情報を再生可能に構成された再生装置であって、
再生用パワーに設定されたレーザー光を前記情報記録媒体に照射したときに当該情報記録媒体によって反射または透過された当該レーザー光を受光して電気信号に光電変換する光ヘッドと、前記電気信号に含まれている交流成分を抽出すると共に所定減衰量で減衰させる信号処理を行う信号処理回路と、当該信号処理回路から出力された電気信号の振幅が所定の振幅となるように制御する振幅制御回路と、当該振幅制御回路から出力された前記電気信号に基づいて前記情報記録媒体に記録されている情報を再生する再生回路とを備えている再生装置。
【請求項２】
前記信号処理回路を介して前記光ヘッドおよび前記振幅制御回路を接続する第１の信号経路と、前記信号処理回路を介さずに前記光ヘッドおよび前記振幅制御回路を接続する第２の信号経路とを切り替える切替回路を備え、
前記振幅制御回路は、前記第１の信号経路を介して入力される前記電気信号および前記第２の信号経路を介して入力される前記電気信号の各振幅が所定の振幅となるように制御する請求項１記載の再生装置。
【請求項３】
前記光ヘッドは、前記スーパーレンズ構造の記録媒体のための再生用パワーのレーザー光と非スーパーレンズ構造の記録媒体のための再生用パワーのレーザー光とを切り替えて前記レーザー光として照射可能に構成され、
前記光ヘッドに対して前記スーパーレンズ構造の記録媒体のための前記レーザー光を照射させたときには前記切替回路を制御して前記第１の信号経路に切り替えると共に、当該光ヘッドに対して前記非スーパーレンズ構造の記録媒体のための前記レーザー光を照射させたときには当該切替回路を制御して前記第２の信号経路に切り替える統括制御回路を備えている請求項２記載の再生装置。
【請求項４】
請求項１から３のいずれかに記載の再生装置と、前記再生回路によって再生された前記情報に基づいて前記情報記録媒体の記録特性および再生特性の少なくとも一方を評価するための評価用情報を生成する評価用情報生成回路とを備えている情報記録媒体評価装置。
【発明の詳細な説明】
【技術分野】
【０００１】
本発明は、スーパーレンズ構造（Ｓｕｐｅｒ−Ｒｅｓｏｌｕｔｉｏｎ  Ｎｅａｒ−ｆｉｅｌｄ  Ｓｔｒｕｃｔｕｒｅ（超解像近接場構造））の記録媒体を少なくとも含む情報記録媒体に記録されている情報を再生可能に構成された再生装置、およびこの再生装置を備えた情報記録媒体用評価装置に関するものである。
【背景技術】
【０００２】
現在、実用化されているＤＶＤ（Ｄｉｇｉｔａｌ  Ｖｅｒｓａｔｉｌｅ  Ｄｉｓｃ）は、レーザー光の波長が６３５ｎｍ以上６７５ｎｍ以下で、対物レンズの開口数が０．５９以上０．６６以下の光ヘッドを使用してレーザー光のスポット径を約１μｍまで絞り込むことにより、光記録媒体に形成された約０．４０μｍの直径のマークまで識別して再生可能に構成されている。さらに、ＢＤ（Ｂｌｕｅ−ｒａｙ  Ｄｉｓｃ）は、レーザー光の波長が３９０ｎｍ以上４２０ｎｍ以下で、対物レンズの開口数が０．７０以上０．９０以下の光ヘッドを使用してレーザー光のスポット径を約０．４８μｍまで絞り込むことにより、０．１３８μｍ以上０．１６０μｍ以下の直径のマークまで識別して再生可能に構成されて、さらなる高密度光記録が図られている。
【０００３】
一方、近年では、いわゆるスーパーレンズ構造（超解像近接場構造）の記録媒体が提案されており、その研究が行われている。このスーパーレンズ構造の記録媒体は数十倍程度の光信号増幅効果（超解像効果）を有し、その結果、この記録媒体では、ＤＶＤやＢＤ等で使用されている光学系のままで、０．１μｍ以下のマーク（つまり光学再生における再生限界を下回る小サイズのマーク）を識別して再生することが可能となっている。したがって、ＤＶＤやＢＤ等で使用されている光学系をそのまま用いることができるため、このスーパーレンズ構造の記録媒体に記録されている情報を読み出すための再生装置を実現するに際して、例えば特開２００２−３１９１３７号公報に開示されているような一般的な光ディスク装置の構成を採用することが可能となっている。
【０００４】
【特許文献１】特開２００２−３１９１３７号公報（第４−５頁、第１図）
【発明の開示】
【発明が解決しようとする課題】
【０００５】
ところが、スーパーレンズ構造の記録媒体のための再生装置に上記公報に開示の光ディスク装置の回路構成をそのまま適用したときには、以下の問題点が発生する。すなわち、スーパーレンズ構造の記録媒体では、ＤＶＤやＢＤなどの記録媒体に対する再生用パワー（ＤＶＤでは０．７ｍＷ，ＢＤでは０．３ｍＷ）と比較して極めて高い再生用パワー（例えば、ＤＶＤでは２．６ｍＷ以上４．０ｍＷ以下、ＢＤでは１．０ｍＷ以上３．０ｍＷ以下）のレーザー光を照射して初めて超解像効果が発現される。このため、記録媒体によって反射されたレーザー光を受光した光ヘッドから出力される電気信号Ｓ１は、従来の再生用パワーのレーザー光を照射したときと比較して、記録媒体に記録されている各マークが図３の領域Ｗに示すように相互間の間隔が広い大きなマークのときには、その振幅が同図に示すように非常に大きくなる。一方、記録媒体に記録されている各マークが同図の領域Ｘに示すように相互間の間隔が狭い小さなマークのときには、電気信号Ｓ１は、その交流成分に対する直流成分の比率が同図に示すように非常に大きくなる。
【０００６】
この場合、Ａ／Ｄ変換器の前段に配設されるＡＧＣ回路は、光ヘッドから出力される電気信号Ｓ１に対する利得を制御することによってこの電気信号Ｓ１の振幅を制御して、この振幅がＡ／Ｄ変換器のダイナミックレンジに対して最適な振幅となるように調整する。しかしながら、スーパーレンズ構造の記録媒体では、極めて高い再生用パワーのレーザー光が記録媒体に照射されることに起因して、上記したように、光ヘッドから出力される電気信号Ｓ１の振幅が非常に大きくなったり、その直流成分の比率が非常に大きくなったりする。このため、この電気信号Ｓ１の振幅がＡＧＣ回路の入力許容限界を超えたときにはＡＧＣ回路から出力される電気信号Ｓ１（再生信号）の波形に歪みが生じたり、この電気信号Ｓ１の直流成分の比率が大きいときにはＡＧＣ回路によるゲインコントロールが不十分となってジッタが悪化する。また、ＡＧＣ回路から出力される電気信号Ｓ１が歪んだり、ジッタが悪化したときには、Ａ／Ｄ変換器がディジタルデータへの変換を良好に行うことが困難となり、また、Ａ／Ｄ変換器の後段に配設された復調回路においてもディジタルデータに基づくデータの復調を正確に行うことが困難となる。したがって、この再生装置には、スーパーレンズ構造の記録媒体に記録されている情報を正確に再生するのが困難であるという問題点が存在する。
【０００７】
本発明は、かかる問題点に鑑みてなされたものであり、スーパーレンズ構造の記録媒体に記録されている情報を正確に再生し得る再生装置を提供することを主目的とする。また、スーパーレンズ構造の記録媒体を適切に評価し得る情報記録媒体評価装置を提供することを他の主目的とする。
【課題を解決するための手段】
【０００８】
上記目的を達成すべく本発明に係る再生装置は、スーパーレンズ構造の記録媒体を少なくとも含む情報記録媒体に記録されている情報を再生可能に構成された再生装置であって、再生用パワーに設定されたレーザー光を前記情報記録媒体に照射したときに当該情報記録媒体によって反射または透過された当該レーザー光を受光して電気信号に光電変換する光ヘッドと、前記電気信号に含まれている交流成分を抽出すると共に所定減衰量で減衰させる信号処理を行う信号処理回路と、当該信号処理回路から出力された電気信号の振幅が所定の振幅となるように制御する振幅制御回路と、当該振幅制御回路から出力された前記電気信号に基づいて前記情報記録媒体に記録されている情報を再生する再生回路とを備えている。この場合、本発明におけるスーパーレンズ構造の記録媒体とは、特性面から見たときには、「適用される光学系において再生可能な限界以下のマーク（記録マーク）についてのＣＮＲが３０ｄＢ以上であるという特性と、再生可能な限界以下の記録マークについてのＣＮＲの再生パワー依存性において、再生パワーを徐々に増加させたときに、０．５ｍＷの増加に対してＣＮＲが＋２５ｄＢ以上増加する領域を１つ有するという特性とを備えた記録媒体」をいい、一方、媒体構造から見たときには、「金属酸化物を含む層と少なくともＳｂを含む層とが、誘電体層を介して積層している構造を持つ媒体」または「再生用パワーに設定されたレーザー光の照射により、スポット径の一部が溶融する層と少なくともＳｂを含む層とが、誘電体層を介して積層している構造を持つ媒体」をいうものとする。
【０００９】
この場合、前記信号処理回路を介して前記光ヘッドおよび前記振幅制御回路を接続する第１の信号経路と、前記信号処理回路を介さずに前記光ヘッドおよび前記振幅制御回路を接続する第２の信号経路とを切り替える切替回路を備え、前記振幅制御回路は、前記第１の信号経路を介して入力される前記電気信号および前記第２の信号経路を介して入力される前記電気信号の各振幅が所定の振幅となるように制御する。
【００１０】
また、前記光ヘッドは、前記スーパーレンズ構造の記録媒体のための再生用パワーのレーザー光と非スーパーレンズ構造の記録媒体のための再生用パワーのレーザー光とを切り替えて前記レーザー光として照射可能に構成され、前記光ヘッドに対して前記スーパーレンズ構造の記録媒体のための前記レーザー光を照射させたときには前記切替回路を制御して前記第１の信号経路に切り替えると共に、当該光ヘッドに対して前記非スーパーレンズ構造の記録媒体のための前記レーザー光を照射させたときには当該切替回路を制御して前記第２の信号経路に切り替える統括制御回路を備えている。
【００１１】
また、本発明に係る情報記録媒体評価装置は、上記の再生装置と、前記再生回路によって再生された前記情報に基づいて前記情報記録媒体の記録特性および再生特性の少なくとも一方を評価するための評価用情報を生成する評価用情報生成回路とを備えている。
【発明の効果】
【００１２】
本発明に係る再生装置によれば、スーパーレンズ構造の情報記録媒体を評価する際に、スーパーレンズ構造の記録媒体で反射されたレーザー光を受光した光ヘッドから出力される電気信号の振幅が非常に大きくなったり、直流成分の比率が非常に大きくなったりしたときであっても、信号処理回路が、光ヘッドから出力される電気信号に含まれている交流成分を抽出すると共に所定減衰量で減衰させる信号処理を行うことにより、振幅制御回路に対して入力許容限界を超えない振幅の電気信号を常に入力させることができる。このため、振幅制御回路に対して、この電気信号に対する振幅制御を常に良好に実行させることができる。したがって、振幅制御回路から再生回路に対して、低歪みで、しかもジッタも良好な電気信号が出力される結果、再生回路に対して情報記録媒体に記録されている情報を正確に再生させることができる。
【００１３】
また、本発明に係る再生装置によれば、振幅制御回路が第１の信号経路を介して入力される電気信号および第２の信号経路を介して入力される電気信号の各振幅が所定の振幅となるように制御することにより、信号処理回路を必要とするスーパーレンズ構造の記録媒体に記録されている情報、および信号処理回路を不要な非スーパーレンズ構造（通常構造）の記録媒体に記録されている情報を共に正確に再生することができる。
【００１４】
また、本発明に係る再生装置によれば、統括制御回路が、光ヘッドに対してスーパーレンズ構造の記録媒体のためのレーザー光を照射させたときには切替回路を制御して第１の信号経路に切り替えると共に、光ヘッドに対して非スーパーレンズ構造の記録媒体のためのレーザー光を照射させたときには切替回路を制御して第２の信号経路に切り替えることにより、情報記録媒体に光ヘッドから照射されるレーザー光の再生用パワーに応じて切替回路を自動的に切り替えることができる。したがって、切替回路における各信号経路の切替えを手動で行う構成と比較して、光ヘッドの再生用パワーに応じて切替回路における各信号経路の切替えを正確かつ迅速に実行することができる。
【００１５】
本発明に係る情報記録媒体評価装置によれば、上述した再生装置と、この再生回路によって再生された情報に基づいて情報記録媒体の記録特性および再生特性の少なくとも一方を評価するための評価用情報を生成する評価用情報生成回路とを備えたことにより、評価用情報生成回路に対して、再生装置によって正確に再生された情報記録媒体の情報に基づいて、情報記録媒体の記録特性および再生特性の少なくとも一方を評価するための評価用情報を正確に生成させることができる。したがって、この評価用情報を用いることにより、情報記録媒体の記録特性や再生特性を正確に評価することができる。
【発明を実施するための最良の形態】
【００１６】
以下、本発明に係る再生装置および情報記録媒体評価装置の最良の形態について、添付図面を参照して説明する。
【００１７】
最初に、情報記録媒体評価装置１の構成について、図面を参照して説明する。
【００１８】
情報記録媒体評価装置（以下、「評価装置」ともいう）１は、図１に示すように、光ヘッド２、切替回路３、信号処理回路４、振幅制御回路５、再生回路６、統括制御回路７および評価用情報生成回路８を備え、スーパーレンズ構造の記録媒体９ａおよび非スーパーレンズ構造の記録媒体９ｂ（以下、特に区別しないときには「記録媒体９」ともいう）に記録されている情報Ｄ１を再生すると共に、記録媒体９についての記録特性および再生特性の少なくとも一方を評価するための評価用情報Ｄ２を生成可能に構成されている。この場合、光ヘッド２、切替回路３、信号処理回路４、振幅制御回路５、再生回路６および統括制御回路７は、本発明に係る再生装置１１を構成する。また、この再生装置１１は、記録媒体９を回転させる回転機構、および光ヘッド２を駆動するヘッド駆動機構（いずれも図示せず）を備えている。
【００１９】
光ヘッド２は、統括制御回路７の制御に従い、スーパーレンズ構造の記録媒体９ａのための再生用パワー（例えば２．６ｍＷ以上４．０ｍＷ以下の範囲内の高パワー）に設定されたレーザー光と、非スーパーレンズ構造の一般的な追記型若しくは書き換え型の相変化媒体または有機色素記録媒体９ｂのための再生用パワー（例えば０．３ｍＷ以上０．７ｍＷ以下の範囲内の通常パワー）に設定されたレーザー光とを切り替えて記録媒体９に照射可能に構成されている。また、光ヘッド２は、レーザー光を記録媒体９に照射したときに記録媒体９によって反射または透過された（本例では、一例として反射された）レーザー光を受光して電気信号Ｓ１に光電変換する。切替回路３は、連動して切替制御される一対の切替スイッチ３ａ，３ｂを備えて構成されている。また、切替回路３は、統括制御回路７の制御下で各切替スイッチ３ａ，３ｂを作動させることにより、信号処理回路４を介して光ヘッド２および振幅制御回路５を接続する第１の信号経路Ａと、信号処理回路４を介さずに光ヘッド２および振幅制御回路５を直接的に接続する第２の信号経路Ｂとを切り替える。この構成により、切替回路３は、第１の信号経路Ａに切り替えたときには、入力した電気信号Ｓ１をそのまま振幅制御回路５に出力し、第２の信号経路Ｂに切り替えたときには、入力した電気信号Ｓ１を信号処理回路４に出力すると共に信号処理回路４で信号処理された後述の電気信号Ｓ２を振幅制御回路５に出力する。信号処理回路４は、電気信号Ｓ１を入力したときには、電気信号Ｓ１に含まれている直流成分を除去しつつ交流成分を抽出すると共に抽出した交流成分を所定減衰量で減衰させて電気信号Ｓ２を生成する信号処理を行う。具体的には、信号処理回路４は、図２に示すように、コンデンサ４ａと、コンデンサ４ａに直列に接続されたアッテネータ（減衰回路）４ｂとを備えて構成されている。この場合、コンデンサ４ａの容量は、電気信号Ｓ１に含まれている直流成分を除去しつつ交流成分を抽出可能な容量（例えば０．１μＦ）に設定されている。アッテネータ４ｂは、一例として、３本の抵抗がπ型に接続されたπ型アッテネータで構成されている。また、アッテネータ４ｂの減衰量は、電気信号Ｓ２の振幅が振幅制御回路５の入力許容限界を超えない程度の減衰量（一例として１０ｄＢ）に設定されている。なお、アッテネータ４ｂとしては、３本の抵抗をＴ型に接続したＴ型アッテネータで構成することもできるし、任意の回路構成を採用して、任意の減衰量に設定することができる。
【００２０】
振幅制御回路５は、ＡＧＣ（Ａｕｔｏ  Ｇａｉｎ  Ｃｏｎｔｒｏｌ）回路であって、切替回路３から出力された電気信号Ｓ１，Ｓ２の振幅が所定の振幅となるように利得を制御して、電気信号Ｓ３として出力する。再生回路６は、例えば、Ａ／Ｄ変換器（図示せず）および復調回路を備えて構成され、入力した電気信号Ｓ３をディジタルデータに変換すると共にこのディジタルデータからクロック成分を抽出して、このディジタルデータとこのクロック成分とに基づいて記録媒体９に記録されている情報Ｄ１を復調（再生）する。統括制御回路７は、ＣＰＵなどを備えて構成されて、光ヘッド２に照射するレーザー光の再生用パワーについての設定制御、および切替回路３に対する各信号経路Ａ，Ｂの切替制御を実行する。具体的には、統括制御回路７は、スーパーレンズ構造の記録媒体９ａのための再生用パワーにレーザー光の出力レベルを設定して光ヘッド２に対してレーザー光を照射させたときには、切替回路３を制御して第１の信号経路Ａに切り替える。一方、統括制御回路７は、非スーパーレンズ構造の記録媒体９ｂのための再生用パワーにレーザー光の出力レベルを設定して光ヘッド２に対してレーザー光を照射させたときには、切替回路３を制御して第２の信号経路Ｂに切り替える。さらに、統括制御回路７は、記録媒体９を回転させるための回転機構、および光ヘッド２を駆動するためのヘッド駆動機構に対する制御も実行する。評価用情報生成回路８は、再生回路６によって再生された情報Ｄ１に基づいて記録媒体９の記録特性および再生特性の少なくとも一方を評価するための評価用情報Ｄ２を生成する。具体的には、評価用情報生成回路８は、情報Ｄ１（例えば２値化信号）に基づいて、例えばジッタ・エラーなどの評価用情報Ｄ２を生成する。
【００２１】
次に、評価装置１の動作について図面を参照して説明する。
【００２２】
スーパーレンズ構造の記録媒体９ａを評価する際に、この評価装置１では、統括制御回路７が、光ヘッド２を制御することにより、光ヘッド２から記録媒体９ａに照射されるレーザー光の再生用パワーを高パワーに設定する。また、統括制御回路７は、切替回路３を制御することにより、光ヘッド２から振幅制御回路５への信号経路を第１の信号経路Ａに切り替える。次いで、統括制御回路７は、回転機構を作動させて記録媒体９ａを回転させる。また、統括制御回路７は、ヘッド駆動機構を作動させて記録媒体９ａの径方向に沿って光ヘッド２を移動させると共に、光ヘッド２に対して記録媒体９ａへのレーザー光の照射を開始させる。これにより、光ヘッド２は、記録媒体９ａによって反射されたレーザー光を受光すると共に電気信号Ｓ１の出力を開始する。
【００２３】
切替回路３は、入力した電気信号Ｓ１を切替スイッチ３ａを介して第１の信号経路Ａ内の信号処理回路４に出力する。この際に、信号処理回路４では、まず、コンデンサ４ａが電気信号Ｓ１に含まれている直流成分を除去することにより、電気信号Ｓ１に含まれている交流成分を抽出する。次いで、アッテネータ４ｂが、この交流成分を所定減衰量で減衰させることにより、振幅制御回路５の入力許容限界を超えない振幅の電気信号Ｓ２を生成して切替回路３に出力する。切替回路３は、信号処理回路４から入力した電気信号Ｓ２を切替スイッチ３ｂを介して振幅制御回路５に出力する。振幅制御回路５は、利得を制御することにより、電気信号Ｓ２の振幅を所定の振幅（一定の振幅）となるように自動調節して、この電気信号Ｓ２を電気信号Ｓ３として出力する。再生回路６は、入力した電気信号Ｓ３をＡ／Ｄ変換器（図示せず）でディジタル信号に変換した後、復調回路で復調することにより、記録媒体９ａに記録されている情報Ｄ１を再生する。評価用情報生成回路８は、情報Ｄ１に基づいて評価用情報Ｄ２を生成して出力する。
【００２４】
一方、非スーパーレンズ構造の記録媒体９ｂを評価する際には、統括制御回路７が、光ヘッド２を制御することにより、光ヘッド２から記録媒体９ｂに照射されるレーザー光の再生用パワーを通常パワーに設定する。また、統括制御回路７は、切替回路３を制御することにより、光ヘッド２から振幅制御回路５への信号経路を第２の信号経路Ｂに切り替える。次いで、統括制御回路７は、回転機構を作動させて記録媒体９ｂを回転させる。また、統括制御回路７は、ヘッド駆動機構を作動させて記録媒体９ｂの径方向に沿って光ヘッド２を移動させると共に、光ヘッド２に対して記録媒体９ｂへのレーザー光の照射を開始させる。これにより、光ヘッド２は、記録媒体９ｂによって反射されたレーザー光を受光すると共に電気信号Ｓ１の出力を開始する。
【００２５】
切替回路３は、入力した電気信号Ｓ１を切替スイッチ３ａ、第１の信号経路Ａおよび切替スイッチ３ｂを介して振幅制御回路５に出力する。振幅制御回路５は、利得を制御することにより、電気信号Ｓ１の振幅を所定の振幅（一定の振幅）となるように自動調節して、この電気信号Ｓ１を電気信号Ｓ３として出力する。再生回路６は、入力した電気信号Ｓ３を図示しないＡ／Ｄ変換器でディジタル信号に変換した後、復調回路で復調することにより、記録媒体９ｂに記録されている情報Ｄ１を再生する。評価用情報生成回路８は、情報Ｄ１に基づいて評価用情報Ｄ２を生成して出力する。
【００２６】
このように、この評価装置１によれば、スーパーレンズ構造の記録媒体９ａを評価する際に、スーパーレンズ構造の記録媒体９ａで反射されたレーザー光を受光した光ヘッド２から出力される電気信号Ｓ１の振幅が非常に大きくなったり、直流成分の比率が非常に大きくなったりしたときであっても、信号処理回路４が、光ヘッド２から出力される電気信号Ｓ１に含まれている交流成分のみを抽出すると共に所定減衰量で減衰させる信号処理を行うことにより、振幅制御回路５に対して入力許容限界を超えない振幅の電気信号Ｓ２を常に入力させることができる。このため、振幅制御回路５に対して、電気信号Ｓ２に対する振幅制御を常に良好に実行させることができる。したがって、振幅制御回路５から再生回路６に対して、低歪みで、しかもジッタも良好な電気信号Ｓ３が出力される結果、再生回路６に対して記録媒体９ａに記録されている情報Ｄ１を正確に再生させることができる。これにより、評価用情報生成回路８に対して、再生回路６等を備えた再生装置１１によって正確に再生された記録媒体９の情報Ｄ１に基づいて、記録媒体９の記録特性および再生特性の少なくとも一方を評価するための評価用情報Ｄ２を正確に生成させることができる。したがって、この評価用情報Ｄ２を用いることにより、記録媒体９の記録特性や再生特性を正確に評価することができる。
【００２７】
また、この評価装置１によれば、振幅制御回路５が第１の信号経路Ａを介して入力される電気信号Ｓ２および第２の信号経路Ｂを介して入力される電気信号Ｓ１の各振幅が所定の振幅となるように制御することにより、信号処理回路４を必要とするスーパーレンズ構造の記録媒体９ａに記録されている情報Ｄ１、および信号処理回路４を不要な非スーパーレンズ構造の記録媒体９ｂに記録されている情報Ｄ１を共に正確に再生することができる。
【００２８】
また、この評価装置１によれば、統括制御回路７が、光ヘッド２に対してスーパーレンズ構造の記録媒体９ａのためのレーザー光を照射させたときには切替回路３を制御して第１の信号経路Ａに切り替えると共に、光ヘッド２に対して非スーパーレンズ構造の記録媒体のためのレーザー光を照射させたときには切替回路３を制御して第２の信号経路Ｂに切り替えることにより、記録媒体９に光ヘッド２から照射されるレーザー光の再生用パワーに応じて切替回路３を自動的に切り替えることができる。したがって、切替回路３における各信号経路Ａ，Ｂの切替えを手動で行う構成と比較して、光ヘッド２の再生用パワーに応じて切替回路３における各信号経路Ａ，Ｂの切替えを正確かつ迅速に実行することができる。
【００２９】
なお、本発明は、上記の構成に限定されない。例えば、評価装置１に表示部を設け、統括制御回路７が、評価用情報生成回路８から出力された評価用情報Ｄ２に基づいて記録媒体９の記録特性および再生特性の少なくとも一方を評価すると共に、その評価結果を表示部に出力する構成を採用することもできる。
【図面の簡単な説明】
【００３０】
【図１】評価装置１の構成を示すブロック図である。
【図２】信号処理回路４の回路図である。
【図３】スーパーレンズ構造の記録媒体に記憶されたマークと光ヘッドによって生成される電気信号Ｓ１との関係を説明するための説明図である。
【符号の説明】
【００３１】
１  評価装置
２  光ヘッド
３  切替回路
４  信号処理回路
５  振幅制御回路
６  再生回路
７  統括制御回路
８  評価用情報生成回路
９ａ，９ｂ  記録媒体
１１  再生装置
Ｄ１  情報
Ｄ２  評価用情報
Ａ  第１の信号経路
Ｂ  第２の信号経路
Ｓ１〜Ｓ３  電気信号
【図１】
2005302095.tif 000003
【図２】
2005302095.tif 000004
【図３】
2005302095.tif 000005